(57)【特許請求の範囲】
【請求項１】
物体側から像側へ順に、負の屈折力を有する第１レンズ群、正の屈折力を有する第２レンズ群、負の屈折力を有する第３レンズ群、正の屈折力を有する第４レンズ群、負の屈折力を有する第５レンズ群、正の屈折力を有する第６レンズ群を有し、
ズーミングのために隣接するレンズ群の各組の間隔が変化するように構成され、
前記第１レンズ群は、ズーミングのためには移動せず、
前記第１レンズ群は、最も物体側に負レンズを有し、
光軸の方向における、広角端での前記第２レンズ群の位置と、望遠端での前記第２レンズ群の位置との差をＭ２とし、光軸の方向における、広角端での前記第４レンズ群の位置と、望遠端での前記第４レンズ群の位置との差をＭ４とし、ここで、Ｍ２は、広角端から望遠端へのズーミングのために前記第２レンズ群が像側へ移動する場合に、正の符号とし、Ｍ４は、広角端から望遠端へのズーミングのために前記第４レンズ群が像側へ移動する場合に、正の符号として、
０．５０＜Ｍ４／Ｍ２＜０．９５
なる条件式を満足することを特徴とするズームレンズ。
【請求項２】
望遠端での前記第４レンズ群と前記第５レンズ群との間隔から広角端での前記第４レンズ群と前記第５レンズ群との間隔を減算して得られる値をＭＤ４５として、
−１．０＜ＭＤ４５／Ｍ４＜１．０
なる条件式を満足することを特徴とする請求項１に記載のズームレンズ。
【請求項３】
前記第１レンズ群内の一部のレンズによってフォーカシングを行なうことを特徴とする請求項１または請求項２に記載のズームレンズ。
【請求項４】
前記第１レンズ群は、５枚以下のレンズからなることを特徴とする請求項１ないし請求項３のうちいずれか１項に記載のズームレンズ。
【請求項５】
前記第３レンズ群は、複数の負レンズを含むことを特徴とする請求項１ないし請求項４のうちいずれか１項に記載のズームレンズ。
【請求項６】
前記第１レンズ群の焦点距離をｆ１とし、広角端での前記ズームレンズの焦点距離をｆｗとして、
−２．５＜ｆ１／ｆｗ＜−１．５
なる条件式を満足することを特徴とする請求項１ないし請求項５のうちいずれか１項に記載のズームレンズ。
【請求項７】
前記第３レンズ群の焦点距離をｆ３として、
０．５＜ｆ１／ｆ３＜２．０
なる条件式を満足することを特徴とする請求項１ないし請求項６のうちいずれか１項に記載のズームレンズ。
【請求項８】
前記第３レンズ群に、その他のレンズ群より近接して開口絞りを有することを特徴とする請求項１ないし請求項７のうちいずれか１項に記載のズームレンズ。
【請求項９】
ズーミングのために、少なくとも前記第２レンズ群、前記第４レンズ群、および前記第５レンズ群が移動することを特徴とする請求項１ないし請求項８のうちいずれか1項に記載のズームレンズ。
【請求項１０】
請求項１ないし請求項９のうちいずれか１項に記載のズームレンズと、
前記ズームレンズの像面に配された撮像素子と、
を有することを特徴とする撮像装置。
【発明の詳細な説明】
【技術分野】
【０００１】
本発明は、ズームレンズ及びそれを有する撮像装置に関し、例えばＴＶカメラ、デジタルカメラ、ビデオカメラ等の撮影系に好適なものである。
【背景技術】
【０００２】
近年、高画質で被写界深度の浅い画を得る為に固体撮像素子の大型化が普及してきたが、カメラシステム全体の大型化を避ける為、ズームレンズはより一層の小型化が求められている。特に広角端の画角が広いズームレンズは前玉径が大きくなり易く、重量への影響も大きい事から、前玉径が小さく広角なズームレンズが望まれている。
【０００３】
従来から、小型で変倍比を効率良く確保出来るズームレンズとして、物体側より順に正、負、正の屈折力を有するレンズ群を配するズームレンズが知られている。また、広角化した際に前玉径が小さい、物体側より順に負、正の屈折力を有するレンズ群を配するズームレンズも知られている。
【０００４】
例えば、特許文献１では物体側より順に正、負、正、正の屈折力を有するレンズ群を配し、第１レンズ群と第３レンズ群が固定で、広角端の半画角が４４度程度のズームレンズが開示されている。特許文献２では物体側から像側へ負、正、負、正、負、正の屈折力を有するレンズ群を配し、第１群と第３群と第６群が固定で、広角端の半画角が４１度程度のズームレンズが開示されている。
【先行技術文献】
【特許文献】
【０００５】
【特許文献１】特開２００９−９２９２２号公報
【特許文献２】特開２００７−１９３１７３号公報
【発明の概要】
【発明が解決しようとする課題】
【０００６】
正の屈折力を有する第１レンズ群がズーミングに際して固定で、負の屈折力を有する第２レンズ群を像側へ移動させてズーミングを行なうズームレンズは、中間焦点距離の軸外光線が第１レンズ群内の有効径決定に影響する。その為、特許文献１では、第２レンズ群以降の合成焦点距離を望遠化し、第１レンズ群と第２レンズ群間の軸外光線角度を緩やかにして、第１レンズ群の有効径増大を抑制している。第２レンズ群以降は望遠化しているが、第１レンズ群の主点を像側へ寄せてズームレンズ全系の焦点距離は広角化されている。しかしながら、第１レンズ群の主点を像側へ寄せる為に第１レンズ群の構成枚数が６〜７枚と多く、重くなってしまう。
【０００７】
特許文献２では最も物体側を負の屈折力を有するレンズ群としている為、第１レンズ群の構成枚数が少ないまま、第２レンズ群移行を望遠化しても、ズームレンズ全系は広角化されている。但し、ズーミングに際して絞り後ろの第４レンズ群を物体側へ大きく移動させている為、３倍のズーム比に対して望遠端のＦ値が４．７〜５．１程度と大きい（暗い）。
【０００８】
本発明は、例えば、小型軽量、小Ｆ値、および広角の点で有利なズームレンズを提供することを目的とする。
【課題を解決するための手段】
【０００９】
上記目的を達成するために、本発明は、物体側から像側へ順に、負の屈折力を有する第１レンズ群、正の屈折力を有する第２レンズ群、負の屈折力を有する第３レンズ群、正の屈折力を有する第４レンズ群、負の屈折力を有する第５レンズ群、正の屈折力を有する第６レンズ群を有し、ズーミングのために隣接するレンズ群の各組の間隔が変化するように構成され、前記第１レンズ群は、ズーミングのためには移動せず、前記第１レンズ群は、最も物体側に負レンズを有し、光軸の方向における、広角端での前記第２レンズ群の位置と、望遠端での前記第２レンズ群の位置との差をＭ２とし、光軸の方向における、広角端での前記第４レンズ群の位置と、望遠端での前記第４レンズ群の位置との差をＭ４とし、ここで、Ｍ２は、広角端から望遠端へのズーミングのために前記第２レンズ群が像側へ移動する場合に、正の符号とし、Ｍ４は、広角端から望遠端へのズーミングのために前記第４レンズ群が像側へ移動する場合に、正の符号として、
０．５０＜Ｍ４／Ｍ２＜０．９５…（１）
なる条件式を満足することを特徴とする
【発明の効果】
【００１０】
本発明によれば、例えば、小型軽量、小Ｆ値、および広角の点で有利なズームレンズを提供することができる。
【図面の簡単な説明】
【００１１】
【図１】数値実施例１の光学系のレンズ断面図である。
【図２】数値実施例１の広角端における収差図である。
【図３】数値実施例１の中間焦点距離における収差図である。
【図４】数値実施例１の望遠端における収差図である。
【図５】数値実施例２の光学系のレンズ断面図である。
【図６】数値実施例２の広角端における収差図である。
【図７】数値実施例２の中間焦点距離における収差図である。
【図８】数値実施例２の望遠端における収差図である。
【図９】数値実施例３の光学系のレンズ断面図である。
【図１０】数値実施例３の広角端における収差図である。
【図１１】数値実施例３の中間焦点距離における収差図である。
【図１２】数値実施例３の望遠端における収差図である。
【図１３】数値実施例４の光学系のレンズ断面図である。
【図１４】数値実施例４の広角端における収差図である。
【図１５】数値実施例４の中間焦点距離における収差図である。
【図１６】数値実施例４の望遠端における収差図である。
【図１７】数値実施例５の光学系のレンズ断面図である。
【図１８】数値実施例５の広角端における収差図である。
【図１９】数値実施例５の中間焦点距離における収差図である。
【図２０】数値実施例５の望遠端における収差図である。
【図２１】数値実施例６の光学系のレンズ断面図である。
【図２２】数値実施例６の広角端における収差図である。
【図２３】数値実施例６の中間焦点距離における収差図である。
【図２４】数値実施例６の望遠端における収差図である。
【図２５】本発明の撮像装置の実施形態を説明する為の図である。
【発明を実施するための形態】
【００１２】
本発明の効果を得る為に、ズームレンズは、物体側から像側へ順に、負の屈折力を有する第１レンズ群、正の屈折力を有する第２レンズ群、負の屈折力を有する第３レンズ群、正の屈折力を有する第４レンズ群、負の屈折力を有する第５レンズ群、正の屈折力を有する第６レンズ群を有する構成としている。最も物体側に負の屈折力を有するレンズ群を配し、広角化しても前玉径増加を抑制している。第１〜６レンズ群に負の屈折力を有するレンズ群と正の屈折力を有するレンズ群を交互に配する事で、各群の間隔変化で効率良く変倍可能な構成としている。
【００１３】
ズーミングに際し、第１、２、３、４、５、６レンズ群のうち隣接するレンズ群の間隔を変化させる構成を有するが、重い第１レンズ群は固定とし、ズーミングに必要な駆動力の増加を防いでいる。ズーミングのためには移動しない第１レンズ群との間隔を変化させてズーミングする為に第２レンズ群は移動させている。移動する第２レンズ群の像側に位置する第３レンズ群は固定でも移動しても良い。第３レンズ群が固定していても効率良くズーミングする為に第４レンズ群を移動させている。第４レンズ群と第５レンズ群の間隔変化でズーミング時の球面収差と像面湾曲を補正する為、第５レンズも移動させている。移動する第５レンズの像側に配されるレンズ群は変倍への寄与は小さく、固定のレンズ群があっても全て移動しても良い。
【００１４】
更に、以下の条件式を満足している。
０．５０＜Ｍ４／Ｍ２＜０．９５  …（１）
但し、Ｍ２は第２レンズ群の広角端と望遠端の光軸方向の位置差、Ｍ４は第４レンズ群の広角端と望遠端の光軸方向の位置差、Ｍ２、Ｍ４は広角端に対して望遠端で像側に位置する場合に正の符号とする。
【００１５】
条件式（１）は第２レンズ群と第４レンズ群それぞれの群の広角端と望遠端の位置差の比を規定した式である。条件式（１）の上限値を超えた場合、広角端側で第４レンズ群の移動により生じる像面湾曲の変動が大きくなってしまう。逆に下限値を超えた場合、広角端で第１レンズ群と第２レンズ群の間隔が増加して入射瞳が長くなり、前玉径が大きくなり好ましくない。
【００１６】
以上で本発明の目的は達成されるが、本発明は、以下の条件式を満足するのが望ましい。
−１．０＜ＭＤ４５／Ｍ４＜１．０  …（２）
但し、ＭＤ４５はズーミング時の第４レンズ群と第５レンズ群の間隔変化であり、望遠端の第４レンズ群と第５レンズ群の間隔から広角端の第４レンズ群と第５レンズ群の間隔を減算した値である。
【００１７】
条件式（２）はズーミング時の第４レンズ群と第５レンズ群の間隔変化と、第４レンズ群の広角端と望遠端の位置差との比を規定した式である。条件式（２）の上限値を超えた場合、中間焦点距離から望遠端での像面湾曲変動が大きくなる。逆に下限値を超えた場合、第４レンズ群と第５レンズ群の間隔変化がズーミングの妨げになり好ましくない。
【００１８】
また、本発明は、第１レンズ群内の一部でフォーカスを行なうのが望ましい。
固定の第１レンズ群内でフォーカスする事で、ズーミング位置によらずフォーカス群の移動量が一定となり、簡素な鏡筒構造でもズーミング位置によらずマニュアル操作時の操作環の回転角を一定にする事が出来る。また、製造誤差が生じた際、第１レンズ以外の群の焦点距離誤差があってもフォーカスの移動量は変化しない為、無限遠から所望の被写体距離までの操作環の回転角の製造誤差も少ない。
【００１９】
また、本発明は、第１レンズ群は５枚以下からなる望ましい。
第１レンズ群は径が大きい為、枚数が多いと重くなり好ましくない。
【００２０】
また、本発明は、第３レンズ群は複数の負レンズを有するのが望ましい。
本発明では、特に、第１〜４レンズ群の間隔変化による変倍作用が大きい。第１レンズ群は軽量化の為に構成枚数を抑えるのが望ましく、第１レンズ群で発生する諸収差を抑制するには負の屈折力は第３レンズ群と分担される。負の屈折力を有する第３レンズ群は諸収差を良好に補正する為に複数の負レンズを有するのが望ましい。
【００２１】
また、本発明は、以下の条件式を満足するのが望ましい。
−２．５＜ｆ１／ｆｗ＜−１．５  …（３）
但し、ｆ１は第１レンズ群の焦点距離、ｆｗはズームレンズの広角端の焦点距離である。
【００２２】
条件式（３）は第１レンズ群の焦点距離と広角端の焦点距離の比を規定した式である。条件式（３）の上限値を超えた場合、ズーミング時に歪曲収差の変動が大きくなる。逆に下限値を超えた場合、入射瞳が長くなる為に前玉径が大きくなり好ましくない。
【００２３】
また、本発明は、以下の条件式を満足するのが望ましい。
０．５＜ｆ１／ｆ３＜２．０  …（４）
但し、ｆ３は第３レンズ群の焦点距離である。
【００２４】
条件式（４）は第１レンズ群と第３レンズ群の焦点距離の比を規定した式である。条件式（４）の上限値を超えた場合、入射瞳が長くなる為に前玉径が大きくなり好ましくない。逆に下限値を超える場合、ズーミング時に歪曲収差の変動が大きくなる、または、第３レンズ群の径が大きくなり好ましくない。
【００２５】
また、本発明は、絞りを第３レンズ群に近接して配するのが望ましい。
第２レンズ群より物体側、もしくは、第２レンズ群と第３レンズ群の間で第３レンズ群よりも第２レンズ群に近い位置に絞りを配すると、望遠端でＦ値を明るくするには絞り径が大きくなり好ましくない。第４レンズ群より像側、もしくは、第３レンズ群と第４レンズ群の間で第３レンズ群よりも第４レンズ群に近い位置に絞りを配すると、小絞りでも使用出来る様に絞り中心に光線を通すには前玉径が大きくなり好ましくない。
【００２６】
なお、条件式（１）〜（４）の数値範囲は以下の如く特定するのが更に望ましい。
０．５１＜Ｍ４／Ｍ２＜０．９１  …（１ａ）
−０．５＜ＭＤ４５／Ｍ４＜０．５  …（２ａ）
−２．４＜ｆ１／ｆｗ＜−１．６  …（３ａ）
０．６＜ｆ１／ｆ３＜１．８  …（４ａ）
更に条件式（２ａ）の数値範囲は以下の如く特定するのが望ましい。
−０．１＜ＭＤ４５／Ｍ４＜０．３  …（２ｂ）
【００２７】
以下に、本発明の好ましい実施の形態を、添付の図面に基づいて詳細に説明する。
図１、５、９、１３、１７、２１は、後述する数値実施例１〜６のレンズ断面図、図２〜４、６〜８、１０〜１２、１４〜１６、１８〜２０、２２〜２４はそれぞれ各数値実施例の収差図である。図２〜４、６〜８、１０〜１２、１４〜１６、１８〜２０、２２〜２４において、図２、６、１０、１４、１８、２２は広角端における収差図、図３、７、１１、１５、１９、２３は中間焦点距離における収差図、図４、８、１２、１６、２０、２４は望遠端における収差図である。収差図において、ｄ、ｇはｄ線及びｇ線、Ｍ、Ｓはメリジオナル像面、サジタル像面、倍率色収差はｇ線によって表している。
【００２８】
図１、５、９、１３、１７、２１のレンズ断面図において、Ｌ１〜Ｌ７はそれぞれ第１〜７レンズ群、ＳＰは絞り、ＳＰ２は開放Ｆ値を決定する為に開口径を変化させる補助絞り、ＰはＣＣＤのフェースプレートやローパスフィルター等のガラスブロック、Ｉは像面である。
【００２９】
実施例１〜６のいずれも、物体側から像側へ順に、負の屈折力を有する第１レンズ群、正の屈折力を有する第２レンズ群、負の屈折力を有する第３レンズ群、正の屈折力を有する第４レンズ群、負の屈折力を有する第５レンズ群、正の屈折力を有する第６レンズ群を有する。
【００３０】
補助絞りを有している実施例は、補助絞りの用いずに絞りの開放径をズーミング位置によって変化させても良い。本実施形態においては、広角端から望遠端へのズーミングに際して、図１、５、９、１３、１７、２１の矢印のように各群を移動させている。実施例１〜６のいずれも、ズーミングに際して第１レンズ群はズーミングのためには移動せず、ズーミングに際して第２、４、５レンズ群が移動する。実施例１、３〜６では、ズーミングに際して第３レンズ群も移動する。実施例４、６では、第６レンズ群もズーミングに際して移動する。実施例６では、第６レンズ群の像側に正の屈折力を有し移動しない第７レンズ群が配置されている。各実施例において、第１レンズ群内の最も像側に配された２枚のレンズでフォーカシングを行なっている。また、最終レンズ群もしくは最終レンズ群内の一部を光軸方向に移動させる事でバックフォーカスの調整が可能である。数値実施例４ではズーミングに際して最も像側のレンズ群を移動させているが、ズーミング位置によらずバックフォーカスの調整量を一定にするには、最も像側のレンズ群はズーミングのためには移動しないことが望ましい。
【００３１】
以下に本発明の数値実施例を記載する。
数値実施例において、ｒｉは物体側より順に第ｉ目の面の曲率半径、ｄｉ第ｉ目の面と第ｉ＋１番目の面の間隔（レンズ厚あるいは空気間隔）、ｎｄｉとνｄｉはそれぞれ第ｉ番目のレンズの材質の屈折率とアッベ数である。面番号の右に＊が付されている面は非球面であることを意味する。
【００３２】
非球面形状は、光軸方向にＸ軸、光軸と垂直方向ｈ軸、光の進行方向を正とし、Ｒを近軸曲率半径、各非球面係数をｋ、Ａ３、Ａ４、Ａ５、Ａ６、Ａ７、Ａ８、Ａ９、Ａ１０、Ａ１１としたとき、
【数１】
0006588794.tif 000002
なる式で表している。また、例えば「ｅ−Ｚ」の表示は「１０−Ｚ」を意味する。
半画角は光線追跡で求めた値である。ＢＦはバックフォーカスである。
【００３３】
（数値実施例１）
単位 mm
面データ
面番号       r        d      nd         vd
1*        81.702    2.53   1.58313    59.4           
2         29.022   22.73                             
3        -89.939    1.80   1.80100    35.0           
4         66.192    0.17                             
5         62.847    5.68   1.95906    17.5           
6        183.160  (可変)                             
7        166.621    1.66   1.92286    18.9           
8         49.790    5.06   1.80400    46.6           
9       -120.403    0.17                             
10         66.654    3.93   1.59522    67.7           
11       -195.409    0.17                             
12         45.207    4.44   1.49700    81.5           
13       -786.170  (可変)                             
14(補助絞り)∞       1.50                             
15        -69.607    0.81   1.77250    49.6           
16         36.952    2.32                             
17        -39.631    0.82   1.81600    46.6           
18         36.997    2.84   1.92286    18.9           
19       -190.184    2.40                             
20(絞り)    ∞     (可変)                             
21         56.892    0.91   1.77377    47.2           
22         21.416    5.84   1.53775    74.7           
23        -55.593    0.17                             
24*        28.671    3.91   1.49710    81.6           
25*      -135.524  (可変)                             
26        100.833    3.59   1.67790    50.7           
27        -42.974    0.38                             
28        -83.876    0.97   1.65412    39.7           
29         20.466  (可変)                             
30         61.493    6.38   1.49700    81.5           
31        -45.013    0.17                             
32        -56.595    1.30   1.80000    29.8           
33       -142.912  (可変)                             
34          ∞       2.39   1.51633    64.1           
35          ∞       1.00                             
像面        ∞   
非球面データ
第1面
K = 3.15206e+000  A 4= 1.33089e-006  A 6=-3.38383e-010  A 8= 1.34709e-013  
第24面
K = 8.65366e-001  A 4=-3.98379e-006  A 6=-1.55066e-008  A 8= 2.49943e-011  
第25面
K =-1.34843e+002  A 4= 1.97851e-006  A 6= 8.22794e-009  A 8= 1.23339e-011  
各種データ
ズーム比      4.87 
広角     中間     望遠
焦点距離      18.09    37.67    88.13  
Fナンバー      3.77     4.12     4.12  
半画角        39.29    21.45     9.53  
像高          14.80    14.80    14.80  
レンズ全長   194.31   194.31   194.31  
BF            38.62    38.62    38.62  
d 6           44.48    22.90     1.31  
d13            0.94     8.35    24.67  
d20           18.79    10.11     1.93  
d25            5.93     4.43     9.22  
d29            2.89    27.24    35.89  
d33           36.05    36.05    36.05  
ズームレンズ群データ
群  始面    焦点距離  
1    1     -36.97  
2    7      31.04  
3   14     -22.02  
4   21      30.78  
5   26     -61.34  
6   30      95.19  
7   34       ∞    
【００３４】
（数値実施例２）
単位 mm
面データ
面番号       r        d      nd         vd
1*        73.767    2.59   1.58313    59.4           
2         28.168   27.10                             
3        -95.905    1.81   1.83220    40.1           
4         64.568    0.17                             
5         60.831    7.18   1.80518    25.4           
6      49037.922  (可変)                             
7        157.597    1.72   1.92286    18.9           
8         58.496    5.65   1.71300    53.9           
9        -74.060    0.17                             
10         42.512    4.73   1.55332    71.7           
11       -563.367  (可変)                             
12(補助絞り)∞       1.50                             
13        -52.447    0.76   1.81600    46.6           
14         59.817    1.43                             
15        -51.314    0.78   1.81600    46.6           
16         47.112    1.97   1.95906    17.5           
17       -490.490    2.60                             
18(絞り)    ∞     (可変)                             
19         90.247    0.92   1.67003    47.2           
20         32.179    4.95   1.53775    74.7           
21        -45.065    0.17                             
22*        26.130    5.07   1.49710    81.6           
23*      -244.813  (可変)                             
24        -85.693    2.56   1.43875    94.9           
25        -32.297    0.21                             
26        199.442    1.20   1.58144    40.8           
27         19.430  (可変)                             
28*        55.631    3.81   1.49700    81.5           
29*       -56.164    0.36                             
30        -42.475    1.07   1.72000    43.7           
31       -120.913    0.49                             
32       -864.180    1.13   1.90270    31.0           
33        116.836    0.20                             
34         87.516    3.80   1.51633    64.1           
35        -95.552  (可変)                             
36          ∞       2.39   1.51633    64.1           
37          ∞       1.00                             
像面        ∞   
非球面データ
第1面
K = 2.83165e+000  A 4= 8.24581e-007  A 6= 2.84829e-010  A 8=-2.57868e-013  
第22面
K = 2.93779e-001  A 4=-1.13092e-006  A 6= 4.39126e-010  A 8= 5.19975e-011  
第23面
K = 2.37223e+002  A 4= 1.61615e-005  A 6= 1.08580e-008  A 8= 9.30626e-011  
第28面
K =-2.71840e+000  A 4= 1.40833e-006  A 6=-1.63246e-008  A 8= 6.42849e-011  
第29面
K = 3.69542e+000  A 4=-1.34250e-006  A 6=-1.30399e-008  A 8= 5.45234e-011  
各種データ
ズーム比      4.13 
広角     中間     望遠
焦点距離      18.54    39.78    76.49  
Fナンバー      4.12     4.12     4.12  
半画角        38.60    20.41    10.95  
像高          14.80    14.80    14.80  
レンズ全長   194.06   194.06   194.06  
BF            39.51    39.51    39.51  
d 6           37.87    20.78     3.69  
d11            0.93    18.02    35.11  
d18           19.81     9.75     2.25  
d23            6.80     6.66    11.58  
d27            3.04    13.24    15.82  
d35           36.94    36.94    36.94  
ズームレンズ群データ
群  始面    焦点距離  
1    1     -42.55  
2    7      39.20  
3   12     -24.66  
4   19      28.14  
5   24     -54.47  
6   28     107.70  
7   36       ∞    
【００３５】
（数値実施例３）
単位 mm
面データ
面番号       r        d      nd         vd
1*       114.036    2.49   1.67790    55.3           
2         31.929   15.77                             
3        -78.982    1.97   1.78800    47.4           
4         60.053    0.17                             
5         61.019    3.04   1.92286    18.9           
6        112.720    1.17                             
7        129.329    6.38   1.48749    70.2           
8        -83.157    0.17                             
9        363.415    1.75   1.95906    17.5           
10        144.579  (可変)                             
11        310.282    1.35   1.92286    18.9           
12         56.186    5.15   1.88300    40.8           
13        -98.115    0.44                             
14         46.056    4.38   1.82080    42.7           
15      50345.024  (可変)                             
16(絞り)    ∞       1.50                             
17        -70.852    1.11   1.91082    35.3           
18         42.762    3.29                             
19        -50.084    1.29   1.53775    74.7           
20         52.883    4.12   1.95906    17.5           
21       -149.787  (可変)                             
22        257.828    1.11   1.59551    39.2           
23         32.686    5.72   1.53775    74.7           
24        -64.949    0.17                             
25*        27.663    4.57   1.49710    81.6           
26*      -307.240  (可変)                             
27        -68.329    2.94   1.43700    95.1           
28        -42.165    0.17                             
29         74.117    1.12   1.74000    28.3           
30         23.825  (可変)                             
31*        95.468    5.35   1.49700    81.5           
32*       -58.796    0.17                             
33        -49.493    1.54   1.85478    24.8           
34       -423.360    0.99                             
35        271.563    5.15   1.85150    40.8           
36        -59.108  (可変)                             
37          ∞       2.39   1.51633    64.1           
38          ∞       1.00                             
像面        ∞   
非球面データ
第1面
K = 7.90337e+000  A 4= 1.90544e-006  A 6=-6.74990e-010  A 8= 1.87170e-013  
第25面
K = 9.07882e-002  A 4=-1.59091e-006  A 6= 4.76103e-009  A 8=-5.70617e-012  
第26面
K = 1.31523e+002  A 4= 7.23595e-006  A 6= 7.80231e-009  A 8=-3.13907e-012  
第31面
K =-2.29855e+000  A 4=-4.08764e-006  A 6=-3.49182e-009  A 8= 6.07345e-012  
第32面
K =-1.03267e+000  A 4=-3.81370e-006  A 6=-3.94685e-009  A 8= 6.64729e-012  
各種データ
ズーム比      3.02 
広角     中間     望遠
焦点距離      15.97    27.11    48.20  
Fナンバー      2.63     2.63     2.63  
半画角        42.83    28.63    17.07  
像高          14.80    14.80    14.80  
レンズ全長   193.18   193.18   193.18  
BF            36.20    36.20    36.20  
d10           43.20    25.05     6.90  
d15            1.41     8.71    21.26  
d21           20.92    12.17     4.61  
d26            3.16     1.32     3.25  
d30            3.73    25.17    36.39  
d36           33.63    33.63    33.63  
ズームレンズ群データ
群  始面    焦点距離  
1    1     -36.10  
2   11      34.77  
3   16     -34.26  
4   22      35.52  
5   27     -59.00  
6   31      63.46  
7   37       ∞    
【００３６】
（数値実施例４）
単位 mm
面データ
面番号       r        d      nd         vd
1*       101.966    2.60   1.65844    50.9           
2         28.875   13.02                             
3        -70.075    1.65   1.82080    42.7           
4         65.465    0.17                             
5         63.828    2.21   1.92286    18.9           
6        112.038    2.06                             
7        109.686    5.12   1.48749    70.2           
8        -83.194    0.17                             
9        194.993    1.51   1.92286    18.9           
10         95.187  (可変)                             
11        176.062    1.13   1.92286    18.9           
12         53.194    3.51   1.91650    31.6           
13       -147.006    1.05                             
14         45.073    2.82   1.75700    47.8           
15        377.147  (可変)                             
16(補助絞り)∞       1.50                             
17        -78.508    0.77   1.85025    30.1           
18         44.753    2.61                             
19        -65.341    0.81   1.51633    64.1           
20         55.798    2.19   1.95906    17.5           
21       -131.416    2.32                             
22(絞り)    ∞     (可変)                             
23        749.168    0.86   1.76182    26.5           
24         40.283    3.20   1.53775    74.7           
25        -76.383    0.17                             
26*        31.815    7.12   1.49710    81.6           
27*      -217.663  (可変)                             
28        -59.592    1.34   1.43875    94.9           
29        -41.199    0.48                             
30         59.123    1.21   1.68893    31.1           
31         25.501  (可変)                             
32*        86.512    7.35   1.49700    81.5           
33*       -69.543    0.74                             
34        -48.004    1.19   1.91650    31.6           
35       -278.443    1.97                             
36        166.130    3.59   1.83481    42.7           
37        -65.316  (可変)                             
38          ∞       2.39   1.51633    64.1           
39          ∞       1.00                             
像面        ∞   
非球面データ
第1面
K = 8.12321e+000  A 4= 2.11802e-006  A 6=-8.90132e-010  A 8= 4.31892e-014  
第26面
K = 2.94657e-001  A 4=-1.70311e-006  A 6= 6.12641e-009  A 8= 5.47472e-012  
第27面
K = 1.32110e+002  A 4= 5.96444e-006  A 6= 1.09325e-008  A 8= 2.22197e-011  
第32面
K = 8.13086e+000  A 4=-5.92042e-006  A 6=-4.43610e-009  A 8=-6.39210e-011  
第33面
K = 2.84396e+000  A 4=-3.92304e-006  A 6=-3.20331e-009  A 8=-5.56953e-011  
各種データ
ズーム比      2.99 
広角     中間     望遠
焦点距離      18.54    30.01    55.50  
Fナンバー      4.12     4.12     4.12  
半画角        38.60    26.25    14.93  
像高          14.80    14.80    14.80  
レンズ全長   194.23   194.23   194.23  
BF            39.73    38.78    39.96  
d10           46.61    26.73     6.85  
d15            6.10    14.06    30.32  
d22           20.91    13.48     2.69  
d27            1.71     5.14    28.69  
d31            2.77    19.63     9.32  
d37           37.15    36.20    37.38  
ズームレンズ群データ
群  始面    焦点距離  
1    1     -32.26  
2   11      38.77  
3   16     -46.68  
4   23      48.96  
5   28     -84.81  
6   32      67.92  
7   38       ∞    
【００３７】
（数値実施例５）
単位 mm
面データ
面番号       r        d      nd         vd
1*        98.617    2.74   1.69350    50.8           
2         29.635   15.88                             
3        -78.660    1.83   1.72916    54.7           
4         56.707    0.19                             
5         57.157    3.01   1.92286    18.9           
6        129.576    2.40                             
7        149.841    5.25   1.48749    70.2           
8        -75.492    0.87                             
9        272.710    1.84   1.95906    17.5           
10        142.283  (可変)                             
11        475.033    1.44   1.92286    18.9           
12         56.331    5.36   1.88300    40.8           
13        -83.422    0.60                             
14         49.207    2.94   1.81600    46.6           
15      26064.287  (可変)                             
16(補助絞り)∞       1.50                             
17        -68.661    0.68   1.95375    32.3           
18         44.507    2.00                             
19        -38.502    0.70   1.61800    63.3           
20         44.457    2.43   1.95906    17.5           
21       -177.324    2.48                             
22(絞り)    ∞     (可変)                             
23       1246.198    0.98   1.73800    32.3           
24         39.615    3.65   1.53775    74.7           
25        -39.604    0.21                             
26*        37.466    2.71   1.49710    81.6           
27*      -236.973  (可変)                             
28       -102.027    1.66   1.49700    81.5           
29        -49.780    0.20                             
30         45.065    1.04   1.68893    31.1           
31         25.294  (可変)                             
32*       116.446    5.77   1.49700    81.5           
33*       -55.728    0.43                             
34        -51.820    1.38   1.85026    32.3           
35       -577.866    0.98                             
36       5250.656    3.99   1.74400    44.8           
37        -52.324  (可変)                             
38          ∞       2.39   1.51633    64.1           
39          ∞       1.00                             
像面        ∞   
非球面データ
第1面
K = 5.94773e+000  A 4= 9.29791e-007  A 6=-9.89952e-011  A 8=-3.09014e-013  
第26面
K = 4.02304e-001  A 4=-3.38502e-008  A 6= 6.13470e-009  A 8=-2.34864e-011  
第27面
K = 1.97934e+002  A 4= 5.37087e-006  A 6= 8.53651e-009  A 8= 1.32731e-013  
第32面
K =-3.03687e+000  A 4=-3.73263e-006  A 6=-7.82156e-009  A 8= 3.12125e-012  
第33面
K = 1.04896e+000  A 4=-2.30491e-006  A 6=-7.06007e-009  A 8= 2.55100e-012  
各種データ
ズーム比      2.98 
広角     中間     望遠
焦点距離      18.52    32.01    55.19  
Fナンバー      4.12     4.12     4.12  
半画角        38.63    24.81    15.01  
像高          14.80    14.80    14.80  
レンズ全長   194.25   194.25   194.25  
BF            36.92    36.92    36.92  
d10           39.66    23.74     7.82  
d15            0.98     9.18    22.45  
d22           16.18     8.58     2.82  
d27           20.13    13.35     1.20  
d31            3.26    25.36    45.92  
d37           34.34    34.34    34.34  
ズームレンズ群データ
群  始面    焦点距離  
1    1     -42.63  
2   11      35.56  
3   16     -26.30  
4   23      40.55  
5   28    -154.04  
6   32      79.49  
7   38       ∞    
【００３８】
（数値実施例６）
単位 mm
面データ
面番号       r        d      nd         vd
1*       100.485    2.63   1.65844    50.9           
2         28.898   13.75                             
3        -69.325    1.65   1.82080    42.7           
4         66.191    0.17                             
5         63.786    2.19   1.92286    18.9           
6        111.316    2.06                             
7        109.452    5.15   1.48749    70.2           
8        -82.043    0.17                             
9        195.536    1.51   1.92286    18.9           
10         94.636  (可変)                             
11        177.186    1.12   1.92286    18.9           
12         53.531    3.43   1.91650    31.6           
13       -148.382    0.56                             
14         44.694    2.80   1.75700    47.8           
15        373.256  (可変)                             
16(補助絞り)∞       1.50                             
17        -75.512    0.77   1.85025    30.1           
18         44.397    2.58                             
19        -65.450    0.81   1.51633    64.1           
20         55.190    2.22   1.95906    17.5           
21       -127.585    2.30                             
22(絞り)    ∞     (可変)                             
23        819.467    0.86   1.76182    26.5           
24         40.640    3.20   1.53775    74.7           
25        -77.279    0.17                             
26*        31.896    6.41   1.49710    81.6           
27*      -217.262  (可変)                             
28        -60.051    1.36   1.43875    94.9           
29        -40.842    0.17                             
30         59.521    1.01   1.68893    31.1           
31         25.836  (可変)                             
32*        85.927    7.17   1.49700    81.5           
33*       -69.930  (可変)                             
34        -47.910    1.18   1.91650    31.6           
35       -282.850    1.97                             
36        168.871    3.54   1.83481    42.7           
37        -65.536  (可変)                             
38          ∞       2.39   1.51633    64.1           
39          ∞       1.00                             
像面        ∞   
非球面データ
第1面
K = 7.64638e+000  A 4= 2.12042e-006  A 6=-8.90408e-010  A 8= 8.06173e-014  
第26面
K = 2.91276e-001  A 4=-1.74556e-006  A 6= 6.36141e-009  A 8= 1.16682e-011  
第27面
K = 1.31905e+002  A 4= 5.86371e-006  A 6= 1.09056e-008  A 8= 2.96638e-011  
第32面
K = 8.11527e+000  A 4=-5.96871e-006  A 6=-4.25357e-009  A 8=-6.80723e-011  
第33面
K = 2.52144e+000  A 4=-3.98092e-006  A 6=-2.93962e-009  A 8=-5.98170e-011  
各種データ
ズーム比      2.99 
広角     中間     望遠
焦点距離      18.54    29.84    55.51  
Fナンバー      4.12     4.12     4.12  
半画角        38.60    26.38    14.93  
像高          14.80    14.80    14.80  
レンズ全長   194.18   194.18   194.18  
BF            39.71    39.71    39.71  
d10           46.51    26.63     6.76  
d15            6.31    14.16    29.87  
d22           20.85    13.54     2.71  
d27            1.69     5.24    29.11  
d31            2.71    19.48     8.71  
d33            2.00     1.02     2.90  
d37           37.13    37.13    37.13  
ズームレンズ群データ
群  始面    焦点距離  
1    1     -32.25  
2   11      38.58  
3   16     -46.23  
4   23      49.29  
5   28     -87.45  
6   32      78.78  
7   34     350.53  
8   38       ∞    
【００３９】
前述の各条件式と数値実施例における諸数値との関係を表−１に示す。
【表１】
0006588794.tif 000003
【００４０】
以上説明した様に、各実施例によれば、小型且つ軽量で、Ｆ値が小さい（明るい）広角ズームレンズを実現する事ができる。
【００４１】
次に本発明のズームレンズを撮影光学系として用いたカメラの実施形態について図２５を用いて説明する。
【００４２】
図２５は各実施例のズームレンズを撮影光学系として用いた撮像装置（テレビカメラシステム）の概略図である。図２５において１０１は実施例１〜６のいずれかのズームレンズである。１２４はカメラである。ズームレンズ１０１はカメラ１２４に対して着脱可能となっている。１２５はカメラ１２４にズームレンズ１０１を装着することで構成される撮像装置である。ズームレンズ１０１は第１レンズ群Ｆ、変倍部ＬＺ、結像用のレンズ群Ｒを有している。第１レンズ群Ｆは合焦用レンズ群が含まれている。ＳＰは開口絞りである。１１４、１１５は各々第１レンズ群Ｆ、変倍部ＬＺを光軸方向に駆動するヘリコイドやカム等の駆動機構である。１１６〜１１８は駆動機構１１４、１１５および開口絞りＳＰを電動駆動するモータ（駆動手段）である。１１９〜１２１は、第１レンズ群Ｆや変倍部ＬＺの光軸上の位置や、開口絞りＳＰの絞り径を検出するためのエンコーダやポテンショメータ、あるいはフォトセンサ等の検出器である。なお、レンズ群Ｒ内に移動群を有するズームレンズの場合は、１１４〜１２１同様の構成がレンズ群Ｒにも付加される。カメラ１２４において、１０９はカメラ１２４内の光学フィルターや色分解光学系に相当するガラスブロック、１１０はズームレンズ１０１によって形成された被写体像を受光するＣＣＤセンサやＣＭＯＳセンサ等の固体撮像素子（光電変換素子）である。また、１１１、１２２はカメラ１２４及びズームレンズ１０１の各種の駆動を制御するＣＰＵである。
【００４３】
なお、撮像素子にＣＣＤ等の電子撮像素子を用いれば、電子的に収差補正をする事で出力画像を更に高画質化する事ができる。
【００４４】
以上、本発明の好ましい実施形態について説明したが、本発明はこれらの実施形態に限定されず、その要旨の範囲内で種々の変形及び変更が可能である。
【符号の説明】
【００４５】
Ｌ１  第１レンズ群
Ｌ２  第２レンズ群
Ｌ３  第３レンズ群
Ｌ４  第４レンズ群
Ｌ５  第５レンズ群
Ｌ６  第６レンズ群
【図１】
0006588794.tif 000004
【図２】
0006588794.tif 000005
【図３】
0006588794.tif 000006
【図４】
0006588794.tif 000007
【図５】
0006588794.tif 000008
【図６】
0006588794.tif 000009
【図７】
0006588794.tif 000010
【図８】
0006588794.tif 000011
【図９】
0006588794.tif 000012
【図１０】
0006588794.tif 000013
【図１１】
0006588794.tif 000014
【図１２】
0006588794.tif 000015
【図１３】
0006588794.tif 000016
【図１４】
0006588794.tif 000017
【図１５】
0006588794.tif 000018
【図１６】
0006588794.tif 000019
【図１７】
0006588794.tif 000020
【図１８】
0006588794.tif 000021
【図１９】
0006588794.tif 000022
【図２０】
0006588794.tif 000023
【図２１】
0006588794.tif 000024
【図２２】
0006588794.tif 000025
【図２３】
0006588794.tif 000026
【図２４】
0006588794.tif 000027
【図２５】
0006588794.tif 000028